(57)【要約】【課題】二種類以上のＬＥＤの発光色による色むらが低減された照明ができるとともに、装置厚みを薄くするのに好適な照明装置を提供する。【解決手段】照明装置３は、導光部材５と、発光部８と、配光制御部材１１とを具備する。導光部材５は、入射面５ａが形成された一端部、及び反射面５ｂが形成された他端部を有する。導光部材５は、入射面５ａから入射された光を前記他端部に導き、この他端部の反射面５ｂで反射して他端部から出射させる。発光部８を発光色が異なる少なくとも二種類のＬＥＤ８ａ〜８ｃで形成する。発光部８を入射面５ａと対向させて配置する。配光制御部材１１を導光部材５の他端部に対向させて配置する。配光制御部材１１によって、導光部材５から出射された光を導光部材５での導光方向とは異なる方向に配光する。【選択図】      図２
2008071598.tif 000002
【特許請求の範囲】
【請求項１】
一端部及び他端部を有し、前記一端部に形成した入射面から入射された光を前記他端部に導き、この他端部に形成した反射面で反射して前記他端部から出射させる導光部材と；
前記入射面と対向して配置され発光色が異なる少なくとも二種類のＬＥＤからなる発光部と；
前記他端部に対向して配置され前記導光部材から出射された光を前記導光部材での導光方向とは異なる方向に配光する配光制御部材と；
を具備したことを特徴とする照明装置。
【請求項２】
前記導光部材を一対用い、これら導光部材の他端部同士が突き合わされるように前記一対の導光部材を配置して、これら導光部材の反射面同士を連続させたことを特徴とする請求項１に記載の照明装置。
【請求項３】
前記導光部材の少なくとも前記反射面側の部位を前記反射面に近付くに従い薄肉とする傾斜側面を、前記反射面に連続させて前記導光部材に設けたことを特徴とする請求項１又は２に記載の照明装置。
【発明の詳細な説明】
【技術分野】
【０００１】
本発明は、発光色が異なる二種類以上のＬＥＤ（発光ダイオード）を備える照明装置に関する。
【背景技術】
【０００２】
従来、ＬＥＤが発した光を、このＬＥＤが配置されるくぼみを有したボウル状のコリメータレンズを通して配光する技術が知られている。この技術では、ＬＥＤから出射された光を、コリメータレンズで屈折及び反射させて、コリメータレンズの出射面から平行ビームの照明光として出射できる（例えば、特許文献１参照。）。
【特許文献１】特表２００２−５２８８６１号公報（0001−0015、図１−図３）
【発明の開示】
【発明が解決しようとする課題】
【０００３】
特許文献１にはコリメータレンズから出射された照明光により所望の演色性を得ることについては記載がない。ところで、ＬＥＤは、光の三原色又はこれらを混色した白色以外の色を発光できないので、所望とする演色性の光の色を得るためには、赤色ＬＥＤ，緑色ＬＥＤ，青色ＬＥＤ，白色ＬＥＤを組み合わせて、組み合わされたＬＥＤの発光色を混ぜる必要がある。
【０００４】
そこで、本発明者は、コリメータレンズのくぼみに、発光色が異なるＬＥＤを二種類以上並べて配置した照明装置を試作したが、照射面に色むらが生じてしまうということが分かった。これは、コリメータレンズがＬＥＤの発光部を照射面に投影することに起因していると考えられる。すなわち、並べられた複数のＬＥＤの配置に応じて、これらＬＥＤの発光部が照射面に投影される結果、隣接した光の領域が重なる部分では混色されるが、それ以外は混色されないので、期待通りの結果を得られなかった。
【０００５】
本発明の目的は、二種類以上のＬＥＤの発光色による色むらが低減された照明ができるとともに、装置厚みを薄くするのに好適な照明装置を提供することにある。
【課題を解決するための手段】
【０００６】
請求項１の発明は、一端部及び他端部を有し、前記一端部に形成した入射面から入射された光を前記他端部に導き、この他端部に形成した反射面で反射して前記他端部から出射させる導光部材と；前記入射面と対向して配置され発光色が異なる少なくとも二種類のＬＥＤからなる発光部と；前記他端部に対向して配置され前記導光部材から出射された光を前記導光部材での導光方向とは異なる方向に配光する配光制御部材と；を具備したことを特徴としている。
【０００７】
この発明で、導光部材は、透光性材料、例えば透光性の合成樹脂やガラス等で形成できる。透光性合成樹脂としてはアクリル系樹脂を好適に使用でき、この場合には量産性に優れる点で好ましい。導光部材を透光性のガラス製とすることは、ＬＥＤの発熱量が大きい場合であっても、それに耐えて熱変形等を生じることなく、導光部材を使用できる点で好ましい。
【０００８】
この発明で、導光部材の導光方向と直交する方向の断面形状は、矩形、丸形の他、平面と円弧で囲まれる断面形状等任意に定めることができる。しかし、導光部材の断面が矩形や丸形の場合、断面の幅や径が小さい程導光部材が導く光の反射回数を増やすことができる点で好ましい。
【０００９】
この発明で、反射面は、平坦面からなる斜面で好適に形成されるが、これに制約されず、湾曲面で形成することもできる。又、反射面は、例えば鏡面仕上げにより形成された全反射面であっても、面の平面度が全反射面より粗く形成された拡散反射面であってもよい。反射面を全反射面とすることは、配光制御部材に向けて光を無駄なく効率よく出射できる点で好ましい。反射面を拡散反射面とすることは、導光部材の他端部での光の反射回数を増やして混色性能を向上させ得る点で好ましい。又、導光部材に対する反射面の傾き角度は４５°±５°の範囲で定めることができ、光を効率よく反射させるためには反射面の傾き角度を４５°±１°とすることが好ましい。
【００１０】
この発明で、発光色が異なる少なくとも二種類のＬＥＤには、赤色ＬＥＤ、緑色ＬＥＤ、青色ＬＥＤ、及び青色ＬＥＤに例えば黄色の蛍光を発する蛍光物質を組み合わせて白色発光を実現した白色ＬＥＤ等の中から選択して使用すればよい。所望とする光色が白色の場合には、赤色ＬＥＤ、緑色ＬＥＤ、青色ＬＥＤを組み合わせて使用することができ、所望とする光色が白色以外の場合には、赤色ＬＥＤ、緑色ＬＥＤ、青色ＬＥＤの内の１又は２の有色ＬＥＤと白色ＬＥＤを組み合わせて使用することができる。したがって、一つのＬＥＤチップの中に発光色が異なる複数のＬＥＤを設けたＬＥＤチップを１以上光源として備えた照明装置を構成することが可能であり、又、ＬＥＤパッケージを構成する照明装置が複数のＬＥＤを備える場合、これらＬＥＤに発光色の異なる二種類以上のＬＥＤを用いることが可能である。
【００１１】
この発明で、配光制御部材には、透光性合成樹脂やガラス等の透光性材料で作られたレンズやプリズム、又は反射体等を使用することができる。
【００１２】
請求項１の発明において、各ＬＥＤが発した異なる色の光は、導光部材の入射面から反射面に向けて伝播される間に導光部材内で繰り返し反射されることで混ぜられてから、反射面で反射されて配光制御部材に向けて出射される。そのため、導光部材の反射面は光制御部材から見て擬似光源部となる。この擬似光源部から配光制御部材に入射する光は、導光部材での既述の混色作用により各ＬＥＤの発光色が現われなく、色むらがない光となっているから、配光制御部材が光を制御して配光するにも拘らず、照射面での色むらが低減された照明をすることができる。
【００１３】
ところで、この発明の照明装置の厚みは、配光制御部材と導光部材とによって規定される。こうした規定下において、配光制御部材の配光方向が導光部材での導光方向とは異なっているので、導光部材が、配光制御部材の配光方向と反対方向に延びて配光制御部材に直線的に並ぶように組み合わされることがない。それにより、照明装置の厚みを薄くすることが可能である。
【００１４】
請求項２の発明は、前記導光部材を一対用い、これら導光部材の他端部同士が突き合わされるように前記一対の導光部材を配置して、これら導光部材の反射面同士を連続させたことを特徴としている。
【００１５】
この発明では、一対の導光部材の反射面同士が連続しているので、配光制御部材から見た擬似光源部の光量が２倍となることに応じて照射面を明るく照明できる。
【００１６】
請求項３の発明は、前記導光部材の少なくとも前記反射面側の部位を前記反射面に近付くに従い薄肉とする傾斜側面を、前記反射面に連続させて前記導光部材に設けたことを特徴としている。
【００１７】
この発明では、傾斜側面により導光部材が薄くなったことに応じて、各ＬＥＤが発した異なる色が導光部材内で反射される回数が増やされるので、異なる色の光の混合性能を向上できる。しかも、反射面に連続して傾斜側面を設けたので、配光制御部材から見て擬似光源部をなす反射面の面積が小さくなる。このため、擬似光源部が小さくなって、配光制御部材による配光制御を容易できる。
【発明の効果】
【００１８】
請求項１に係る発明によれば、二種類以上のＬＥＤの発光色による色むらが低減された照明ができるとともに、装置厚みを薄くするのに好適な照明装置を提供できる。
【００１９】
請求項２に係る発明によれば、請求項１に係る発明の照明装置において、照射面を明るく照明できる。
【００２０】
請求項３に係る発明によれば、請求項１又は２に係る発明の照明装置において、二種類以上のＬＥＤが発した異なる色の光の混合性能が更に向上されることにより色むらを低減して照明できるとともに、配光制御部材による配光制御を容易にできる。
【発明を実施するための最良の形態】
【００２１】
図１及び図２を参照して本発明の第１実施形態の照明装置を説明する。
【００２２】
図１中符号１は照明器具を示している。この照明器具１は、器具本体２に１個以上例えば複数の照明装置３を取付けて形成されている。
【００２３】
器具本体２は、一面例えば下面が開放され、この開放面を照射開口としたハウジングからなる。器具本体２は装置取付け部材２ａを備え、この装置取付け部材２ａは合成樹脂よりも熱伝導性に優れた材料、例えば、金属、具体的には鉄やアルミニウム合金等で形成することが望ましい。装置取付け部材２ａを金属製とすることにより、この装置取付け部材２ａを放熱要素として利用可能である。なお、器具本体２には照明装置３を点灯装置（図示しない）が取付けられている。
【００２４】
照明装置３は、導光部材５、発光部８、及び配光制御部材１１を備えたＬＥＤモジュールである。照明装置３は、その発熱源である発光部８を装置取付け部材２ａに熱伝導可能に接続するとともに、配光制御部材１１の後述する光出射面を前記照射開口に対向させて、装置取付け部材２ａに取付けられている。照明装置３は、照明器具１の使用環境に応じて、この照明器具１に求められる明るさを得るために必要な数使用されるとともに、図１では各照明装置３の照明方向はいずれも同じとしてあるが、使用用途に応じて各照明装置３の照明方向は異なっていてもよい。
【００２５】
各照明装置３の導光部材５は、例えばアクリル樹脂等の透光性合成樹脂で形成されていて、本実施形態では一対の導光部材５が用いられている。これらの導光部材５は、図２（Ａ）（Ｂ）に示すように一端部に入射面５ａを形成し、他端部に反射面５ｂを形成した平板状に成形されている。入射面５ａと反射面５ｂとにわたる導光部材５の第１の側面５ｃ〜第４の側面５ｆは互いに直角に連続する周面をなしている。第１の側面５ｃと第２の側面５ｄとは平行であり、第３の側面５ｅと第４の側面５ｆとは平行である。
【００２６】
入射面５ａは第１の側面５ｃ〜第４の側面５ｆに対して直角に連続している。反射面５ｂは、略４５°（４５°±１°）の角度で傾斜されていて、第１の側面５ｃに対して鋭角をなして連続しているとともに、第２の側面５ｄに対して鈍角をなして連続している。反射面５ｂは例えば拡散反射面で作られている。導光部材５の幅Ａは導光部材５の厚みＢの２倍に設定されている。
【００２７】
一対の導光部材５は、その他端部同士が突き合わされるように組み合わせて配置され、それによって、図２（Ａ）に示すように一対の導光部材５の反射面５ｂ同士を連続させている。こうした配置と前記幅Ａと厚みＢとの関係によって、連続した反射面５ｂ同士は、第１の側面５ｃがわから見て、図２（Ｂ）に示すように正方形をなして連続されて擬似光源部として機能するようになっている。一対の導光部材５は、その第２の側面５ｄを装置取付け部材２ａに接触させて器具本体２に取付けられている。
【００２８】
発光部８は、装置取付け部材２ａに熱伝導するように支持されるとともに、各導光部材５の入射面５ａと対向して配置されている。発光部８は、発光色が異なる少なくとも二種類のＬＥＤ（発光ダイオード）からなり、例えば、本実施形態では白色の照明光を得るために赤色ＬＥＤ８ａ、緑色ＬＥＤ８ｂ、及び青色ＬＥＤ８ｃからなる。これら三種類の赤色ＬＥＤ８ａ、緑色ＬＥＤ８ｂ、青色ＬＥＤ８ｃは、図２（Ｂ）に示すように入射面５ａに対して導光部材５の幅方向に沿って並べられている。
【００２９】
透光性材料からなる配光制御部材１１は例えば光軸１１ａを中心とする回転対称形状のレンズからなる。この配光制御部材１１は、中央部にくぼみ１１ｂを有しているとともに、このくぼみ１１ｂの開口端に連続し湾曲した外面１１ｃと、この外面１１ｃに連続した平坦面からなる光出射面１１ｄと備えている。光出射面１１ｄは円形である。くぼみ１１ｂの奥の面はレンズ面１１ｅで形成されている。この配光制御部材１１は、くぼみ１１ｂに入射した光を、レンズ面１１ｅで屈折させるとともに外面１１ｃで全反射させることにより、光軸１１ａに平行な光として光出射面１１ｄから出射させることができる。
【００３０】
図２（Ａ）（Ｂ）に示すように配光制御部材１１は、そのくぼみ１１ｂの中央部に前記反射面５ｂからなる擬似光源部を対向するように位置させて、一対の導光部材５と組み合わされている。くぼみ１１ｂの開口端は導光部材５の第１の側面５ｃに接触されている。したがって、互いに連続した導光部材５は、配光制御部材１１の光軸１１ａに対して交差して、具体的には直交して配置されている。
【００３１】
前記構成の各照明装置３はその発光部８を点灯させることにより照明することができる。この照明において、点灯された発光部８の赤色ＬＥＤ８ａ、緑色ＬＥＤ８ｂ、及び青色ＬＥＤ８ｃから放射された光は、夫々導光部材５の一端部の入射面５ａを通って導光部材５に入射される。この場合、入射光は入射面５ａで屈折して４２°の角度以内に収斂して導光部材５に入射する。
【００３２】
こうして入射された三色の光は、導光部材５の入射面５ａから導光部材５の他端部の反射面５ｂに向けて導かれる間に、導光部材５の各側面５ｃ〜５ｆで繰り返し反射されることで混ぜられる。混ぜられた光は、反射面５ｂで配光制御部材１１に向けて反射され、導光部材５の他端部において第１の側面５ｃから配光制御部材１１のくぼみ１１ｂの中央部に出射される。こうして出射された光は、導光部材５での導光方向に対して例えば略直角の方向に出射して配光制御部材１１に入射される。そして、配光制御部材１１に入射された光は、この配光制御部材１１によって制御され、光出射面１１ｄから被照射対象に向けて出射されることにより、配光制御部材１１の光学設計に従って配光される
以上の照明においては、配光制御部材１１から見てそのくぼみ１１ｂへの光の入射源となっている一対の導光部材５の反射面５ｂが擬似光源部として機能している。この擬似光源部から配光制御部材１１に入射する光は、既述のように導光部材５の入射面５ａから反射面５ｂに導かれる過程で混ぜられた光であるので、発光部８の赤色ＬＥＤ８ａ、緑色ＬＥＤ８ｂ、及び青色ＬＥＤ８ｃの発光色が個別に現われなく、色むらがない光となっている。このため、前記擬似光源部を配光制御部材１１が照射面に投影するにも拘わらず、照射面での色むらを低減した照明ができる。
【００３３】
しかも、本実施形態では反射面５ｂが拡散反射面からなるので、第１の側面５ｃに直交してこの第１の側面５ｃから出射される光成分が、反射面５ｂを全反射面とした場合に比較して減る一方で、第１の側面５ｃと反射面５ｂとの間でも光を反射させることができるに伴い、異なる色の光が混ざることを更に促進できる。そのため、より一層、照射面での色むらが低減された照明ができる。拡散反射面からなる反射面５ｂは、全反射面からなる反射面５ｂとする場合に比較して、鏡面仕上げを要しないので、加工上好ましい。
【００３４】
前記擬似光源部は、一対の導光部材５の他端部同士を突き合うように配置することによって、これら導光部材５の反射面５ｂ同士を連続させることで形成されているとともに、導光部材５の幅Ａと厚みＢとの関係により、配光制御部材１１から見て正方形に形成されている。このため、前記照明において、配光制御部材１１から出射された光は、正方形の照明パターンとして配光される。しかも、一対の導光部材５の反射面５ｂ同士が連続しているので、１個の導光部材５の反射面５ｂを配光制御部材１１のくぼみ１１ｂの中央部に対向するように構成した場合に比べて、配光制御部材１１から見た擬似光源部の光量が２倍となるので、それに応じて照射面を明るく照明できる。
【００３５】
又、図２（Ａ）中符号Ｔで示す照明装置３の厚みは、この厚み方向に重なる配光制御部材１１と導光部材５とによって規定される。ところで、配光制御部材１１の配光方向は導光部材５での導光方向とは異なっているので、導光部材５が、配光制御部材１１の配光方向と反対方向に延びて配光制御部材１１に直線的に並ぶように組み合わされることがない。それにより、照明装置３の厚みＴを薄くすることが可能である。しかも、赤色ＬＥＤ８ａ、緑色ＬＥＤ８ｂ、及び青色ＬＥＤ８ｃを、光軸１１ａが延びる方向、言い換えれば、照明装置１の厚み方向と直交する方向に並べて配置したので、これらＬＥＤを並べるために要する照明装置１の厚み方向に沿うスペースを小さくでき、この点でも照明装置３の厚みＴをより薄くする上で好ましい。そして、こうした薄型化に拘わらず導光部材５での導光距離、つまり、入射面５ａから反射面５ｂまでの長さを必要十分に長く確保できるから、既述の混色作用を十分に発揮させることができる。
【００３６】
図３（Ａ）（Ｂ）は本発明の第２実施形態を示している。第２実施形態は以下説明する事項以外は図３に示されない構成を含めて第１実施形態と同じである。そのため、第１実施形態と同じ部分には第１実施形態と同一符号を付して、その説明は省略する。
【００３７】
第２実施形態では、図３（Ａ）に示すように導光部材５の第２の側面全体を傾斜させて、第２の側面を傾斜側面５ｇとしている。この傾斜側面５ｇは、反射面５ｂにこれとの間に鈍角をなして連続しているとともに、反射面５ｂに近付くに従い導光部材５全体を薄肉にしている。そのため、この第２実施形態では、第１の側面５ｃに第２の側面からなる傾斜側面５ｇは平行ではない。これとともに、傾斜側面５ｇにより配光制御部材１１から見て擬似光源部をなす斜面からなる反射面５ｂの面積を小さくできるので、一対の導光部材５の反射面５ｂがなす擬似光源部の正方形の大きさも小さくできる。そして、一対の導光部材５の反射面５ｂがなす擬似光源部を小さな正方形状とするために、既述のように傾斜側面５ｇを設けた他に、導光部材５の幅Ｃは、導光部材５の入射面５ａでの厚みＢの２倍未満に設定されている。
【００３８】
以上説明した事項以外は第１の実施形態と同じである。したがって、第２実施形態の照明装置３は、第１実施形態と同様の作用を得て、赤色ＬＥＤ８ａ、緑色ＬＥＤ８ｂ、及び青色ＬＥＤ８ｃの夫々の発光色による色むらが低減された照明ができるとともに、厚みＴを薄くすることができる。
【００３９】
しかも、次の点で第１実施形態よりも優れている。即ち、傾斜側面５ｇにより導光部材５が薄くなっているので、それに応じて、赤色ＬＥＤ８ａ、緑色ＬＥＤ８ｂ、及び青色ＬＥＤ８ｃの夫々が発した異なる色が導光部材５内で反射される回数が増やされる。これにより、導光部材５での光の混合性能が向上されるに伴い、発光色による色むらがより低減された照明ができる。更に、傾斜側面５ｇによる導光部材５の薄肉化に伴い、この傾斜側面５ｇが連続する反射面５ｂの面積を、図２（Ｂ）に示すように反射面５ｂを小さくできる。このため、配光制御部材１１から見ての擬似光源部が小さくなるので、配光制御部材１１による配光制御を容易できる。
【００４０】
なお、第２実施形態では、傾斜側面５ｇを第２の側面に形成したが、第１の側面５ｃに形成することもでき、又、第３の側面５ｅ、第４の側面５ｆに傾斜側面５ｇを設けることもできる。又、第２実施形態では、傾斜側面５ｇを第２の側面全体で形成したが、これに代えて、導光部材５の少なくとも反射面５ｂ側の部位に傾斜側面５ｇを設けて実施することもできる。
【００４１】
図４（Ａ）（Ｂ）は本発明の第３実施形態を示している。この第３実施形態では、一対の導光部材５が一体に成形されている。この点以外の事項は図４に示されない構成を含めて第１実施形態と同じである。そのため、第１実施形態と同じ部分には第１実施形態と同一符号を付して、その説明は省略する。
【００４２】
したがって、第３実施形態の照明装置３でも、第１実施形態と同様の作用を得て、赤色ＬＥＤ８ａ、緑色ＬＥＤ８ｂ、及び青色ＬＥＤ８ｃの夫々の発光色による色むらが低減された照明ができるとともに、厚みＴを薄くすることができる。しかも、組立てにおいて、一対の導光部材５を一体に取扱える点で好ましい。
【００４３】
図５は本発明の第４実施形態を示している。この第４実施形態は以下説明する事項以外は図４に示されない構成を含めて第１実施形態と同じである。そのため、第１実施形態と同様な部分には第１実施形態と同一符号を付して、その説明は省略する。
【００４４】
第４実施形態では、配光制御部材１１がロッド状をなしている。そのため、くぼみ１１ｂは配光制御部材１１の長手方向に延びた溝状に形成されているとともに、光出射面１１ｄは配光制御部材１１の長手方向に延びる長方形状をなしている。これとともに、くぼみ１１ｂの開口端と光出射面１１ｄとにわたる一対の外面１１ｃは円弧面で形成されている。又、一対の導光部材５は配光制御部材１１と同方向に延びる平板からなる。そのため、導光部材５の入射面５ａ及び反射面５ｂは共に導光部材５の長手方向に延びている。そして、例えば赤色ＬＥＤ８ａ、緑色ＬＥＤ８ｂ、及び青色ＬＥＤ８ｃを並べてなる発光部８は、導光部材５の入射面５ａに対向して、この入射面５ａの長手方向に間隔を置いて複数配置されている。
【００４５】
以上説明した事項以外は第１の実施形態と同じである。したがって、第４実施形態の照明装置３は、第１実施形態と同様の作用を得て、赤色ＬＥＤ８ａ、緑色ＬＥＤ８ｂ、及び青色ＬＥＤ８ｃの夫々の発光色による色むらが低減された照明ができるとともに、厚みＴを薄くすることができる。
【００４６】
なお、本発明は前記各実施形態には制約されない。例えば、発光色が異なる複数のＬＥＤは、導光部材５の厚み方向に並べて配置することができ、この場合、配光制御部材１１側から見た擬似光源部の大きさを更に小さくなるので配光の制御が容易となる。又、導光部材５は、平板ではなく湾曲形状に形成して、好ましくは配光制御部材１１の外面１１ｃに沿うように配置することができる。
【図面の簡単な説明】
【００４７】
【図１】本発明の第１実施形態に係る照明装置を光源として用いた照明器具を示す断面図。
【図２】(Ａ)は第１実施形態に係る照明装置を一部断面して示す側面図。(Ｂ)は同照明装置が備える一対の導光部材を示す平面図。
【図３】(Ａ)は本発明の第２実施形態に係る照明装置を一部断面して示す側面図。(Ｂ)は同照明装置が備える一対の導光部材を示す平面図。
【図４】(Ａ)は本発明の第３実施形態に係る照明装置を示す断面図。(Ｂ)は同照明装置が備える一対の導光部材を示す平面図。
【図５】本発明の第４実施形態に係る照明装置の一部を示す斜視図。
【符号の説明】
【００４８】
３…照明装置、５…導光部材、５ａ…導光部材の入射面、５ｂ…導光部材の反射面、５ｃ〜５ｆ…導光部材の側面、５ｇ…導光部材の傾斜側面、８…発光部、８ａ…赤色ＬＥＤ、８ｂ…緑色ＬＥＤ、８ｃ…青色ＬＥＤ、１１…配光制御部材、１１ｄ…配光制御部材の光出射面、Ｔ…照明装置の厚み
【図１】
2008071598.tif 000003
【図２】
2008071598.tif 000004
【図３】
2008071598.tif 000005
【図４】
2008071598.tif 000006
【図５】
2008071598.tif 000007